(57)【特許請求の範囲】
【請求項１】
二つ折りされてロール状に巻き取られた包装用フィルムのフィルムロールと、このフィルムロールから引き出された二つ折りフィルムの送り方向を変えそのフィルムの間に商品を挿入させるフィルム口開き装置と、上記二つ折りフィルム間に挟まれた商品の送り方向と同方向に商品を上記フィルム口開き装置に向かって搬送するベルトコンベアを有し、このベルトコンベアの一端部には、上記商品の搬送方向と直角方向に回転軸を有して上記ベルトコンベアのベルトが掛け渡された基端側ローラが設けられ、上記ベルトの上記フィルム口開き装置の端縁部と対向する部分には、上記フィルム口開き装置の端縁部とほぼ並行に配置された傾斜ローラを設け、この傾斜ローラに沿って上記ベルトを掛け渡し、上記傾斜ローラの下流側では、上記ベルトが上記フィルム口開き装置の下方に位置し、上記基端側ローラと平行に先端側ローラが位置した包装装置。
【請求項２】
上記傾斜ローラの下流側下方に、上記基端側ローラと平行な転向ローラを設け、この転向ローラと平行にその下流側に上記先端側ローラを設けた請求項１記載の包装装置。
【発明の詳細な説明】
【０００１】
【発明の属する技術分野】
この発明は、二つ折りされてロール状に巻かれた包装用フィルムを引き出して商品をその間に入れ、所定の箇所でそのフィルムを溶断及び溶着して袋状に形成し、商品を包装する包装装置に関する。
【０００２】
【従来の技術】
従来、二つ折された熱収縮性フィルムを用いて商品を包装する包装装置は、ロール状に巻き取られた包装用フィルムの間に商品をはさみ込ませるため、２枚の三角板状のフィルム口開き装置を有し、このフィルム口開き装置の間に商品を搬送する商品搬送用のベルトコンベアを貫通させていた。そして、商品搬送用のベルトコンベアの先端部に近接して商品搬出用のベルトコンベアを配し、この間に上記フィルムを所定の位置で袋状に切断して切り離すとともに切断部を溶着するシール装置を設けていた。シール装置の下流側には、商品を包んだフィルムを熱収縮させるシュリンクトンネルが配置され、商品に密着したフィルム包装がなされる。
【０００３】
また、実開平１−１２８５０４号公報に開示されているように、フィルム口開き装置の手前にベルトコンベアの先端部を位置させるとともに、ベルトコンベアとフィルム口開き装置との間に、その間の距離に合わせて分割され長さの異なる複数のベルトコンベアを配置したものも提案されている。
【０００４】
【発明が解決しようとする課題】
上記従来技術の前者の場合、フィルム口開き装置の間に商品搬送用のベルトコンベアが挿通されているので、フィルム口開き装置の間隔を広く空けなければならないものであった。しかもそのために、商品を包装するためのフィルムは、商品の厚み分に加えてベルトコンベアを挿通するために必要な空間部分の幅のフィルムを余計に必要とし、余剰なフィルムにより商品が包まれた状態でフィルム開口部がシールされて次の収縮工程に送られるものであった。そして、後の収縮工程では、商品上方のフィルムがより多く収縮し、側面のシール線の位置が商品の側面中央部に位置せず、商品上面側にずれてしまうという問題があった。
【０００５】
また、上記従来技術の後者の場合、フィルム口開き装置の上流側に設けられた分割ベルトコンベアは、構造が複雑である上、分割された各ベルトの微妙な送り速度の違いにより商品が傾いて送られたりする問題があり、実用的ではなかった。
【０００６】
この発明は上記従来の技術の問題点に鑑みて成されたもので、二つ折フィルムを用いて商品を包装するに際して、比較的薄い商品でも綺麗に包装可能であり、フィルムの無駄もない包装装置を提供することを目的とする。
【０００７】
【課題を解決するための手段】
この発明は、二つ折りされてロール状に巻き取られた包装用フィルムのフィルムロールと、このフィルムロールから引き出された二つ折りフィルムの送り方向を変えそのフィルムの間に商品を挿入させるフィルム口開き装置と、上記二つ折りフィルム間に挟まれた商品の送り方向と同方向に商品を上記フィルム口開き装置に向かって搬送するベルトコンベアを有し、このベルトコンベアの一端部には、上記商品の搬送方向と直角方向に回転軸を有してベルトが掛け渡された基端側ローラが設けられ、上記ベルトの上記フィルム口開き装置の端縁部と対向する部分には、上記フィルム口開き装置の端縁部とほぼ並行に配置された傾斜ローラを備えている。そして、この傾斜ローラに沿って上記ベルトを掛け渡し、さらに上記ベルトコンベアの他端部には、上記傾斜ローラの下流側で、上記基端側ローラと平行に先端側ローラが位置したものである。
【０００８】
上記傾斜ローラの下流側下方に、上記基端側ローラと平行な転向ローラを設け、この転向ローラと平行にその下流側に上記先端側ローラ設けたものである。
【０００９】
この発明の包装装置は、フィルム口開き装置の端縁部に近接してベルトコンベアのベルトが位置し、フィルム口開き装置内にベルトコンベアを配置することなく確実に商品の搬送を可能にし、必要以上のフィルムを使うことなく、綺麗な収縮包装を可能としたものである。
【００１０】
【発明の実施の形態】
以下この発明の実施形態について説明する。この包装装置は、図１に示すように、包装用の二つ折りフィルム１０と、この二つ折りのフィルム１０間に商品１１を送り込む商品搬送ベルトコンベア１２と、二つ折りのフィルム１０を開いて商品１２を挟み込み可能にするフィルム口開き装置１４を有している。フィルム口開き装置１４に隣接して、フィルム１０の開口部を溶断溶着するシール装置１６と、フィルム１０により包まれた商品１１にフィルム１０を密着させて包装する図示しないシュリンクトンネルが設けられている。
【００１１】
フィルム１０は、例えば、熱収縮性のフィルムを二つ折りにして、ロール状に巻き取られたものであり、その巻き取られたフィルムロールが、図示しないフィルム送り装置に取り付けられている。フィルム口開き装置１４は、直角二等辺三角形の案内板１７、１８とこれを保持した図示しない支柱からなる。そして、案内板１７，１８は、商品搬送ベルトコンベア１２のループ状の搬送ベルト２０に対して互いに平行に設けられ、案内板１７，１８の一端縁部である斜辺１７ａ，１８ａが、搬送ベルト２０の進行方向に対して約４５度になるように配置され、フィルム１０の送り方向を変える。フィルム１０は、二つ折り状態で案内板１７，１８の上下の外側に開かれ、二つ折りされた間隔が広げられるとともに、その案内板１７，１８の斜辺１７ａ，１８ａでフィルム１０の表裏面を反転させ、案内板１７，１８の間にフィルム１０が挿通される。
【００１２】
シール装置１６は、公知のＬ字型溶断溶着装置であり、図２に示すように、加熱された溶断刃２２により、二つ折りフィルム１０の２方向の開口部を切断するとともにその切り口の開口部を溶着するものである。このシール装置１６と対向する下方側の位置には、Ｌ字状のシール受台２４が設けられている。また、シール装置１６には、上下動させるための図示しない駆動装置が設けられている。
【００１３】
そして、シール装置１６をはさんで商品搬送ベルト１２と反対側には、商品１１を送り出す商品搬出ベルトコンベア２６が設けられている。また、商品搬出ベルトコンベア２６の側方には、フィルム１０を商品搬送方向に引くフィルム牽引装置である一対のチェーン装置２８が設けられている。チェーン装置２８の基端部は、シール装置１６により溶断されたフィルム角部よりもフィルム１０の上流側に位置しているとより好ましい。これにより、商品１１が乗ったフィルム１０を引っ張っても、溶断された角部に大きな力が掛からず、この角部でフィルムが裂けることがない。
【００１４】
商品搬送ベルトコンベア１２には、商品搬送基端部に商品１１の搬送方向と直角方向に回転軸を有して搬送ベルト２０が掛け渡された基端側ローラ３０が設けられ、搬送ベルト２０のフィルム口開き装置１４の斜辺１７ａと対向する部分には、斜辺１７ａとほぼ並行に配置された従動自在の傾斜ローラ３２が設けられている。傾斜ローラ３２に沿って搬送ベルト２０は９０度進行方向が変えられ、商品搬送ベルトコンベア１２のベルト折り返し端部には、傾斜ローラ３２によって変更された搬送ベルト２０の進行方向に対してほぼ直角に位置した先端側ローラ３４を備える。先端側ローラ３４で折り返された搬送ベルト２０は、傾斜ローラ３２と平行に配置された折り返し傾斜ローラ３６で基端側ローラ３０に向かって戻る。基端側ローラ３０には、図示しない駆動装置が連結され、所定の速度で駆動される。
【００１５】
また、商品搬送ベルトコンベア１２に沿って、フィルム口開き装置１４の上流側に、固定ガイド４０が設けられ、固定ガイド４０と平行に商品搬送ベルトコンベア１２の反対側に、固定ガイド４０との間隔を調節可能な可動ガイド４２が設けられている。可動ガイド４２は、商品搬送ベルトコンベア１２にほぼ全長に渡って設けられ、フィルム口開き装置１４の案内板１７，１８間に挿通されている。
【００１６】
この実施形態の包装装置の使用方法は、商品１１を商品搬送ベルトコンベア１２に載せて装置を起動すると、商品搬送ベルトコンベア１２により商品１１が送られ、フィルム口開き装置１４で二つ折のフィルム１０の間に商品１１が挿入される。そして、案内板１７，１８間では、フィルム１０とともに商品１１が送られ、シール装置１６の下方を商品１１が通過すると図示しないセンサーによって自動的に商品搬送ベルトコンベア１２及び商品搬出ベルトコンベア２６が停止し、シール装置１６が作動して、フィルム１０の側方および後方の開口部が溶断溶着される。この後、商品搬出ベルトコンベア２６はヒートトンネル内を通過し、フィルム１０は収縮し、商品１１にフィルム１０が密着した状態に包装される。
【００１７】
この実施形態の包装装置によれば、フィルムロールから引き出された二つ折りフィルム１０は、商品１１をはさんだ状態で商品１１の厚さよりわずかに広い程度のフィルム口開き装置１４内を通過し、必要最小限のフィルム１０で開口部が溶断溶着される。従って、余剰なフィルムがなく、フィルム１０の無駄が少なく、収縮時に側面のシール線が確実に商品１１の側方に位置する。さらに溶断溶着部もしわにならずに溶着され、きれいな包装が可能となる。
【００１８】
次に、この発明の実施形態の包装装置について図４、図５に基づいて説明する。ここで、上述の実施形態と同様の部材については同一符号を付して説明を省略する。この実施形態の包装装置は、上記商品搬送ベルトコンベア１２の傾斜ローラ３２の商品搬送方向下流側の搬送ベルト２０の位置を、フィルム口開き装置１４の案内板１７の下になるようにしたものである。即ち、図５に示すように、傾斜ローラ３２の下流側下方に、基端側ローラ３０と平行な転向ローラ４４を設け、転向ローラ４４と平行にその下流側に先端側ローラ４６設けたものである。さらに、転向ローラ４４と平行に転向ローラ４８を有し、傾斜ローラ３２と平行に対向して折り返し傾斜ローラ５０を有している。
【００１９】
これにより、搬送ベルト２０は、案内板１７の斜辺１７ａと平行に近接して対面する位置まで送られ、案内板１７の下方に潜り込むので、商品を確実に案内板１７，１８間に送り込むことができる。しかも、先端側ローラ４６は、案内板１７の下方に位置しているので、上記実施形態のように側方に配置する必要がなく、よりスペースを有効に利用することができる。
【００２０】
尚、この発明の包装装置は、上記実施形態に限定されず、適宜設定できるものであり、商品の種類や大きさは適宜選択可能である。また、ベルトコンベアの構造も適宜設定可能であり、フィルム口開き装置に近接して位置可能なものであればよい。
【００２１】
【発明の効果】
この発明の包装装置は、ロール状に巻き取られた包装用フィルムを引き出して商品を包む包装装置において、フィルム口開き装置のフィルム間に確実に商品を挿入するすことができ、しかもフィルムを必要以上に用いることなく包装可能である。さらに、収縮包装した場合も、溶断溶着位置が所定の位置で綺麗に包装される。
【図面の簡単な説明】
【図１】二つ折りフィルムを用いた包装装置の実施形態の斜視図である。
【図２】この実施形態の包装装置の概略側面図である。
【図３】この実施形態の包装装置の概略平面図である。
【図４】この発明の実施形態の包装装置の概略平面図である。
【図５】この発明の実施形態の包装装置の商品搬送ベルトコンベアを示す概略斜視図である。
【符号の説明】
１０    フィルム
１１    商品
１２    商品搬送ベルトコンベア
１４    フィルム口開き装置
１６    シール装置
１７，１８    案内板
２０    搬送ベルト
３０    基端部側ローラ
３２    傾斜ローラ
３４    先端部側ローラ
【図１】
0003592972.tif 000002
【図２】
0003592972.tif 000003
【図３】
0003592972.tif 000004
【図４】
0003592972.tif 000005
【図５】
0003592972.tif 000006